(57)【要約】【課題】成形品の品質の安定性を向上できる、射出成形機の提供。【解決手段】供給口を後部に有する加熱シリンダと、前記供給口に成形材料を供給する材料供給装置と、前記加熱シリンダ内で回転することにより前記成形材料を前方に送るスクリュと、成形条件を設定する設定装置とを備え、該設定装置は、型内圧のバラツキに基づいて、前記スクリュの回転数と前記材料供給装置の供給速度との関係を設定する、射出成形機。【選択図】図１
2015189212.tif 000002
【特許請求の範囲】
【請求項１】
供給口を後部に有する加熱シリンダと、
前記供給口に成形材料を供給する材料供給装置と、
前記加熱シリンダ内で回転することにより前記成形材料を前方に送るスクリュと、
成形条件を設定する設定装置とを備え、
該設定装置は、型内圧のバラツキに基づいて、前記スクリュの回転数と前記材料供給装置の供給速度との関係を設定する、射出成形機。
【請求項２】
前記設定装置は、前記型内圧として、計量工程後に前記スクリュに作用する残圧を用いる、請求項１に記載の射出成形機。
【請求項３】
前記設定装置は、前記型内圧のバラツキ、および計量時間のバラツキに基づいて、前記関係を設定する、請求項１または２に記載の射出成形機。
【請求項４】
前記設定装置は、計量時間のバラツキを用いて前記関係を補正する、請求項１〜３のいずれか１項に記載の射出成形機。
【請求項５】
前記材料供給装置は、前記成形材料を収容するフィードシリンダと、該フィードシリンダ内で回転することにより前記成形材料を前記供給口に供給するフィードスクリュとを含み、
前記材料供給装置の供給速度として、前記フィードスクリュの回転数が用いられ、
前記関係として、前記スクリュの回転数と前記フィードスクリュの回転数との比が用いられる、請求項１〜４のいずれか１項に記載の射出成形機。
【請求項６】
供給口を後部に有する加熱シリンダと、前記供給口に成形材料を供給する材料供給装置と、前記加熱シリンダ内で回転することにより前記成形材料を前方に送るスクリュとを備える射出成形機の設定装置であって、
型内圧のバラツキに基づいて、前記スクリュの回転数と前記材料供給装置の供給速度との関係を設定する、射出成形機の設定装置。
【請求項７】
供給口を後部に有する加熱シリンダと、前記供給口に成形材料を供給する材料供給装置と、前記加熱シリンダ内で回転することにより前記成形材料を前方に送るスクリュとを備える射出成形機の設定方法であって、
型内圧のバラツキに基づいて、前記スクリュの回転数と前記材料供給装置の供給速度との関係を設定する、射出成形機の設定方法。
【発明の詳細な説明】
【技術分野】
【０００１】
本発明は、射出成形機、射出成形機の設定装置、および射出成形機の設定方法に関する。
【背景技術】
【０００２】
射出成形機は、加熱シリンダと、加熱シリンダ内に成形材料を供給する材料供給装置と、加熱シリンダ内に回転自在に且つ進退自在に配設されるスクリュとを備える（例えば、特許文献１参照）。スクリュを回転させると、スクリュの螺旋状の溝に沿って成形材料が前方に送られる。成形材料は前方に移動しながら徐々に溶融される。液状の成形材料がスクリュ前方に溜まるにつれ、スクリュが後退させられる。その後、スクリュを前進させると、スクリュ前方の成形材料が加熱シリンダから金型装置内に充填される。金型装置内の成形材料は冷却固化され、成形品が得られる。
【先行技術文献】
【特許文献】
【０００３】
【特許文献１】特開２００４−３５１６６１号公報
【発明の概要】
【発明が解決しようとする課題】
【０００４】
計量工程において、スクリュの回転に伴い成形材料が前方に送られる。スクリュの溝内における成形材料の充填状態は、スクリュの回転数と、材料供給装置の供給速度とで決まる。スクリュの回転数が一定の場合、材料供給装置の供給速度が大きくなるほど、上記充填状態が密の状態になる。上記充填状態は、成形品の品質の安定性に影響を与える。
【０００５】
本発明は、上記課題に鑑みてなされたものであって、成形品の品質の安定性を向上できる、射出成形機の提供を目的とする。
【課題を解決するための手段】
【０００６】
上記課題を解決するため、本発明の一態様によれば、
供給口を後部に有する加熱シリンダと、
前記供給口に成形材料を供給する材料供給装置と、
前記加熱シリンダ内で回転することにより前記成形材料を前方に送るスクリュと、
成形条件を設定する設定装置とを備え、
該設定装置は、型内圧のバラツキに基づいて、前記スクリュの回転数と前記材料供給装置の供給速度との関係を設定する、射出成形機が提供される。
【発明の効果】
【０００７】
本発明の一態様によれば、成形品の品質の安定性を向上できる、射出成形機が得られる。
【図面の簡単な説明】
【０００８】
【図１】本発明の一実施形態の射出成形機を示す図である。
【発明を実施するための形態】
【０００９】
以下、本発明を実施するための形態について図面を参照して説明するが、各図面において、同一の又は対応する構成については同一の又は対応する符号を付して説明を省略する。充填時のスクリュ２０の移動方向（図１中左方向）を前方とし、計量時のスクリュ２０の移動方向（図１中右方向）を後方として説明する。
【００１０】
図１は、本発明の一実施形態の射出成形機を示す図である。射出成形機は、加熱シリンダ１０、スクリュ２０、計量モータ５２、射出モータ５４、圧力検出器５６、材料供給装置６０、コントローラ７０、および表示装置８０を備える。
【００１１】
加熱シリンダ１０は供給口１２から供給された成形材料を加熱する。供給口１２は加熱シリンダ１０の後部に形成される。加熱シリンダ１０の外周には、ヒータなどの加熱源が設けられる。加熱シリンダ１０の前端にはノズル１４が設けられる。
【００１２】
スクリュ２０は、加熱シリンダ１０内において回転自在に且つ進退自在に配設される。スクリュ２０は、主に、スクリュ本体２１、およびスクリュ本体２１より前方に配設された射出部２２で構成される。スクリュ本体２１は、フライト部２３、およびフライト部２３の前端に配設された圧力部２４を備える。
【００１３】
フライト部２３は、棒状の本体部２３ａ、および該本体部２３ａの外周面に突出させて形成された螺旋状のフライト２３ｂを備え、該フライト２３ｂに沿って螺旋状の溝２６が形成される。フライト部２３の後端から前端にかけて、溝２６の深さは一定であってよく、スクリュ圧縮比が一定であってよい。
【００１４】
圧力部２４は、棒状の本体部２３ａよりも外径の大きい円柱部で構成されてよい。本体部２３ａと円柱部との間には、本体部２３ａから円柱部にかけて外径が徐々に大きくなる図示されない円錐台状の傾斜部が設けられてもよく、傾斜部および円柱部で圧力部２４が構成されてもよい。
【００１５】
尚、圧力部２４を配設することなく、スクリュ本体２１の全体にわたってフライト部を形成してもよい。スクリュ本体２１は後端から前端にかけて、供給部、圧縮部、計量部として区別されてもよい。この場合、螺旋状の溝の深さは、供給部で深く、計量部で浅く、圧縮部において前方に向かうほど浅い。
【００１６】
射出部２２は、先端に円錐形の部位を備えたヘッド部３１、該ヘッド部３１の後方に隣接させて形成されたロッド部３２、該ロッド部３２の周囲に配設された逆止リング３３、および圧力部２４の前端に取り付けられたシールリング（チェックリング）３４を含む。
【００１７】
計量モータ５２は、スクリュ２０を回転させる。計量モータ５２はエンコーダ５２ａを有してよい。エンコーダ５２ａは、計量モータ５２の出力軸の回転数を検出することによりスクリュ２０の回転数を検出し、回転数を示す信号をコントローラ７０に出力する。コントローラ７０は、計量工程においてスクリュ２０の回転数が設定値になるように計量モータ５２をフィードバック制御する。
【００１８】
射出モータ５４は、スクリュ２０を進退させる。スクリュ２０と射出モータ５４との間には、射出モータ５４の回転運動をスクリュ２０の直線運動に変換する運動変換部が設けられる。射出モータ５４はエンコーダ５４ａを有してよい。エンコーダ５４ａは、射出モータ５４の出力軸の回転数を検出することによりスクリュ２０の前進速度を検出し、スクリュ２０の前進速度を示す信号をコントローラ７０に出力する。コントローラ７０は、充填工程においてスクリュ２０の前進速度が設定値になるように射出モータ５４をフィードバック制御する。
【００１９】
圧力検出器５６は、例えば射出モータ５４とスクリュ２０との間に配設され、圧力検出器５６に作用する圧力を検出する。この圧力は、スクリュ２０の背圧やスクリュ２０が押す成形材料の圧力を示す。圧力検出器５６は、圧力検出器５６に作用する圧力を示す信号をコントローラ７０に出力する。コントローラ７０は、保圧工程においてスクリュ２０が押す成形材料の圧力が設定値になるように射出モータ５４をフィードバック制御する。また、コントローラ７０は、計量工程においてスクリュ２０の背圧が設定値になるように射出モータ５４をフィードバック制御する。
【００２０】
充填工程では、射出モータ５４を駆動してスクリュ２０を前進させ、スクリュ２０の前方に蓄積された液状の成形材料を金型装置内に充填させる。スクリュ２０の前進速度の設定値は、一定でもよいし、スクリュ位置または経過時間に応じて変更されてもよい。スクリュ２０が所定位置（所謂Ｖ／Ｐ切換位置）まで前進すると、保圧工程が開始される。尚、充填工程開始からの経過時間が所定時間に達すると、保圧工程が開始されてもよい。
【００２１】
保圧工程では、射出モータ５４を駆動してスクリュ２０を前方に押し、金型装置内の成形材料に圧力をかける。不足分の成形材料が補充できる。成形材料の圧力の設定値は、一定でもよいし、経過時間などに応じて段階的に変更されてもよい。保圧工程後、冷却工程が開始される。冷却工程中に計量工程が行われてよい。
【００２２】
計量工程では、計量モータ５２を駆動してスクリュ２０を回転させ、スクリュ２０の螺旋状の溝２６に沿って成形材料を前方に送る。これに伴い、成形材料が徐々に溶融される。液状の成形材料がスクリュ２０の前方に送られ加熱シリンダ１０の前部に蓄積されるにつれ、スクリュ２０が後退させられる。スクリュ２０の回転数の設定値は、一定でもよいし、スクリュ位置または経過時間に応じて変更されてもよい。
【００２３】
計量工程では、スクリュ２０の急激な後退を制限すべく、射出モータ５４を駆動してスクリュ２０に対して背圧を加えてよい。背圧が設定値になるように射出モータ５４が駆動される。スクリュ２０が所定位置まで後退し、スクリュ２０の前方に所定量の成形材料が蓄積されると、計量工程が終了する。
【００２４】
尚、本実施形態の射出装置は、インライン・スクリュ方式であるが、プリプラ方式でもよい。プリプラ方式の射出装置は、可塑化シリンダ内で溶融された成形材料を射出シリンダに供給し、射出シリンダから金型装置内に成形材料を射出する。可塑化シリンダ内にはスクリュが回転自在にまたは回転自在に且つ進退自在に配設され、射出シリンダ内にはプランジャが進退自在に配設される。
【００２５】
材料供給装置６０は、設定された供給速度で加熱シリンダ１０の供給口１２に成形材料を供給する。材料供給装置６０は、ホッパ６１、フィードシリンダ６３、筒状の案内部６５、フィードスクリュ６７、およびフィードモータ６９などを備える。
【００２６】
フィードシリンダ６３は、ホッパ６１の下端から水平に延び、ホッパ６１内から供給される成形材料を収容する。尚、フィードシリンダ６３は、必ずしも水平方向に延在する必要はなく、例えば水平方向に対して斜めに延在してもよく、出口側が入口側よりも高くてもよい。
【００２７】
フィードスクリュ６７は、フィードシリンダ６３内に回転自在に配設される。
【００２８】
フィードモータ６９は、フィードスクリュ６７を回転させる。フィードモータ６９はエンコーダ６９ａを有してよい。エンコーダ６９ａは、フィードモータ６９の出力軸の回転数を検出することによりフィードスクリュ６７の回転数を検出し、回転数を示す信号をコントローラ７０に出力する。コントローラ７０は、計量工程においてフィードスクリュ６７の回転数が設定値になるようにフィードモータ６９をフィードバック制御する。
【００２９】
フィードモータ６９は、フィードスクリュ６７を回転させることにより、フィードスクリュ６７の螺旋状の溝に沿って成形材料を前方に送る。成形材料は、フィードシリンダ６３の前端から案内部６５へ送られ、案内部６５内を落下し、加熱シリンダ１０の供給口１２に供給される。
【００３０】
計量工程では、フィードモータ６９を駆動してフィードスクリュ６７を回転させ、加熱シリンダ１０の供給口１２に成形材料を供給する。その供給速度はフィードスクリュ６７の回転数に比例する。フィードスクリュ６７の回転数の設定値は、スクリュ２０の回転数の設定値と同様に、一定でもよいし、スクリュ位置または経過時間に応じて変更されてもよい。
【００３１】
フィードスクリュ６７とスクリュ２０とは、同期して回転されてよく、同時に回転開始され、同時に回転終了されてよい。成形材料は、供給口１２で滞留することなく、スクリュ２０の回転によって前方に送られる。スクリュ２０の溝２６内における成形材料の充填状態は、密の状態ではなく、疎の状態（飢餓状態）とされる。
【００３２】
尚、フィードスクリュ６７は、スクリュ２０よりも早く回転開始され、早く回転終了されてもよい。その時間差は、例えば案内部６５内における成形材料の落下時間であってよい。
【００３３】
コントローラ７０は、メモリなどの記憶部７２およびＣＰＵ（Central Processing Unit）７４を有し、記憶部７２に記憶される制御プログラムをＣＰＵ７４に実行させることにより、射出成形機の各種動作を制御する。また、コントローラ７０は、成形条件を設定する設定装置として機能する。
【００３４】
尚、本実施形態では、コントローラ７０が設定装置として機能するが、設定装置はコントローラ７０とは別に設けられてもよい。
【００３５】
ところで、計量工程において、スクリュ２０の回転に伴い成形材料が前方に送られる。スクリュ２０の溝２６内における成形材料の充填状態（以下、単に「充填状態」とも呼ぶ）は、スクリュ２０の回転数と、材料供給装置６０の供給速度とで決まる。スクリュ２０の回転数が一定の場合、材料供給装置６０の供給速度が大きくなるほど、充填状態が密の状態になる。充填状態は、成形品の品質の安定性に影響を与える。
【００３６】
そこで、コントローラ７０は、スクリュ２０の回転数と、材料供給装置６０の供給速度との関係を設定する。材料供給装置６０の供給速度としてはフィードスクリュ６７の回転数が用いられてよく、上記関係としてはスクリュ２０の回転数と、フィードスクリュ６７の回転数との比が用いられてよい。この比は、スクリュ２０の回転数に対するフィードスクリュ６７の回転数の百分率（以下、「同期率」とも呼ぶ）で表されてよい。
【００３７】
コントローラ７０は、同期率を設定するため、同期率毎に型内圧のバラツキ（以下、「型内圧バラツキ」とも呼ぶ）を測定してよい。型内圧は、金型装置内における成形材料の圧力であり、金型装置内に配設される圧力検出器によって検出できる。型内圧が安定すれば、成形品密度や成形品重量などが安定する。
【００３８】
型内圧バラツキは、ショット毎に型内圧を測定したときの、測定値のバラツキであり、ショットによる差異である。その測定値は、ピーク値、Ｖ／Ｐ切換時の値、時間積分値などのいずれでもよい。そのバラツキとしては、最大値と最小値との差、標準偏差、変動係数などが用いられる。
【００３９】
コントローラ７０は、同期率毎に型内圧バラツキを測定することで、同期率と型内圧バラツキとの関係を求める。そうして、コントローラ７０は、型内圧バラツキに基づいて同期率を設定する。型内圧が安定し、成形品密度や成形品重量などが安定する。
【００４０】
同期率が小さいほど、型内圧バラツキが小さい傾向がある。同期率が小さいほど、上記充填状態が疎の状態となり、成形材料を均一に加熱できるためと推定される。また、上記充填状態が疎の状態となることで、スクリュ２０の進退時の摩擦抵抗が減り、スクリュ２０が滑らかに進退するためと考えられる。
【００４１】
コントローラ７０は、型内圧バラツキと、その他のパラメータとに基づいて同期率を設定してよい。例えば、コントローラ７０は、計量時間が冷却時間を超えないように（計量工程が冷却工程中に完了するように）同期率を設定してよい。スクリュ２０の回転数が一定の場合、同期率が小さいほど、材料供給装置６０の供給速度が小さく、計量時間が長い。
【００４２】
ところで、計量工程中にはスクリュ２０の背圧やスクリュ２０の回転によるせん断応力などによって成形材料が圧縮される。スクリュ２０の回転停止後には、圧縮された成形材料が膨張しようとするため、回転停止状態のスクリュ２０に圧力が作用する。この圧力を残圧と呼ぶ。
【００４３】
計量工程後にスクリュ２０に作用する残圧は、スクリュ２０前方の成形材料の密度に対応する。スクリュ２０前方の成形材料が充填工程などにおいて金型装置内に充填されるため、型内圧と残圧とは相関する。
【００４４】
そこで、コントローラ７０は、同期率の設定に用いる型内圧バラツキとして、残圧のバラツキ（以下、「残圧バラツキ」とも呼ぶ）を用いてよい。残圧が安定すれば、成形品密度や成形品重量などが安定する。
【００４５】
残圧は、圧力検出器５６によって検出できる。圧力検出器５６は、計量工程や保圧工程の制御に用いられるものであって、専用品ではない。そのため、使いやすさやコストなどの点で優れている。
【００４６】
残圧バラツキは、ショット毎に残圧を測定したときの、測定値のバラツキであり、ショットによる差異である。その測定値は、時間積分値（例えば計量工程終了から所定時間内の時間積分値）、所定時（例えば計量工程終了から所定時間経過時）の値、ピーク値などのいずれでもよい。そのバラツキとしては、最大値と最小値との差、標準偏差、変動係数などが用いられる。尚、残圧は、スクリュ２０を回転停止位置に位置保持した状態で測定してよい。
【００４７】
コントローラ７０は、型内圧バラツキ（残圧バラツキを含む）と、計量時間バラツキとに基づいて同期率を設定してよい。計量時間が安定すれば、成形材料の加熱時間が安定し、成形材料の熱劣化が抑制できるため、成形品材質が安定する。
【００４８】
計量時間は、コントローラ７０に備えられるタイマー７６などで計測できる。計量時間バラツキは、ショット毎に計量時間を測定したときの、測定値のバラツキであり、ショットによる差異である。そのバラツキとしては、最大値と最小値との差、標準偏差、変動係数などが用いられる。計量時間は型内圧（型内圧としての残圧を含む）と異なり同期率に応じて変化するため、その変化の影響を削減できる変動係数が特に好適である。変動係数は、標準偏差を平均値で割ったものである。
【００４９】
同期率が小さいほど、計量時間バラツキが大きい傾向がある。同期率が小さいほど、スクリュ２０の溝２６内における成形材料の充填状態が疎の状態となり、成形材料同士の間に隙間が形成され、成形材料の搬送が不安定になるためと推定される。
【００５０】
同期率が小さいほど、型内圧バラツキは小さく、計量時間バラツキは大きい。型内圧バラツキと計量時間バラツキとは、異なる変化傾向を示す。
【００５１】
コントローラ７０は、型内圧バラツキ（残圧バラツキを含む）と計量時間バラツキとに基づいて同期率を設定する場合、型内圧バラツキと計量時間バラツキとの積に基づいて同期率を設定してよく、上記積が最小値となるように同期率を設定してよい。成形品密度や成形品重量の安定性と、成形品材質の安定性とを両立することができる。尚、コントローラは上記積と他のパラメータとに基づいて同期率を設定してもよく、この場合、上記積が最小値とならなくてもよい。
【００５２】
コントローラ７０は、型内圧バラツキ（残圧バラツキを含む）に基づいて同期率を設定する際に、計量時間バラツキを用いて同期率を補正してもよい。
【００５３】
コントローラ７０は、同期率を設定するため、同期率毎に計量時間バラツキを測定してよい。計量時間が安定すれば、成形材料の加熱時間が安定し、成形材料の熱劣化が抑制できるため、成形品材質が安定する。
【００５４】
計量時間は、コントローラ７０に備えられるタイマー７６などで計測できる。計量時間のバラツキとしては、最大値と最小値との差、標準偏差、変動係数などが用いられる。計量時間は型内圧（型内圧としての残圧を含む）と異なり同期率に応じて変化するため、その変化の影響を削減できる変動係数が特に好適である。変動係数は、標準偏差を平均値で割ったものである。
【００５５】
コントローラ７０は、同期率毎に計量時間バラツキを測定することで、同期率と計量時間バラツキとの関係を求める。そうして、コントローラ７０は、計量時間バラツキに基づいて同期率を設定する。計量時間が安定し、成形品材質などが安定する。
【００５６】
同期率が小さいほど、計量時間バラツキが大きい傾向がある。同期率が小さいほど、スクリュ２０の溝２６内における成形材料の充填状態が疎の状態となり、成形材料同士の間に隙間が形成され、成形材料の搬送が不安定になるためと推定される。
【００５７】
コントローラ７０は、計量時間バラツキと、その他のパラメータとに基づいて同期率を設定してよい。
【００５８】
例えば、コントローラ７０は、計量時間バラツキと、型内圧バラツキとに基づいて同期率を設定してよい。成形品密度や成形品重量の安定性と、成形品材質の安定性とを両立することができる。
【００５９】
同期率が小さいほど、型内圧バラツキは小さく、計量時間バラツキは大きい。型内圧バラツキと計量時間バラツキとは、異なる変化傾向を示す。
【００６０】
そこで、コントローラ７０は、型内圧バラツキと計量時間バラツキとの積に基づいて同期率を設定してよく、上記積が最小値となるように同期率を設定してよい。尚、コントローラは上記積と他のパラメータとに基づいて同期率を設定してもよく、この場合、上記積が最小値とならなくてもよい。
【００６１】
表示装置８０は、コントローラ７０による制御下で各種画面を表示する。表示装置８０は、例えばタッチパネルで構成されてよく、入力操作を受け付ける操作部と、画面を表示する表示部とを一体に有してよい。コントローラ７０は、操作部における入力操作に応じた画面を表示部に表示させる。
【００６２】
表示装置８０は、型内圧バラツキ（残圧バラツキを含む）と同期率との関係を表示してよい。この関係は、グラフや表などの形態で表示されてよい。ユーザが型内圧バラツキと同期率との関係を知ることができる。
【００６３】
表示装置８０は、計量時間バラツキと同期率との関係を表示してよい。この関係は、グラフや表などの形態で表示されてよい。ユーザが計量時間バラツキと同期率との関係を知ることができる。
【００６４】
表示装置８０は、型内圧バラツキと同期率との関係と、計量時間バラツキと同期率との関係とを同時に表示してよい。成形品密度や成形品重量の安定性と、成形品材質の安定性とを両立できる同期率がわかる。
【００６５】
表示装置８０は、型内圧バラツキと計量時間バラツキとの積と、同期率との関係を表示してよい。
【００６６】
表示装置８０は、コントローラ７０が設定した同期率を表示してよく、その同期率を、型内圧バラツキと同期率との関係、計量時間バラツキと同期率との関係、および上記積と同期率との関係のうちの少なくとも１つの関係と同時に表示してよい。
【００６７】
以上、射出成形機などの実施形態を説明したが、本発明は上記実施形態に制限されることはなく、特許請求の範囲に記載された本発明の要旨の範囲内で、種々の変形、改良が可能である。
【００６８】
例えば、上記実施形態の材料供給装置６０は、フィードスクリュ６７を含むが、真空ローダを含んでもよく、その構成は特に限定されない。材料供給装置６０は、供給速度を変更できるものであればよい。
【符号の説明】
【００６９】
１０  加熱シリンダ
２０  スクリュ
２１  スクリュ本体
２２  射出部
２３  フライト部
２４  圧力部
２６  溝
５２  計量モータ
５４  射出モータ
５６  圧力検出器
６０  材料供給装置
６３  フィードシリンダ
６７  フィードスクリュ
６９  フィードモータ
７０  コントローラ
８０  表示装置
【図１】
2015189212.tif 000003